(57)【特許請求の範囲】
【請求項１】
回転する駆動ディスク（１）と、これに同軸で且つ同方向に回転する従動ディスク（２）とを有し、弾性力伝達のための手段（８）を備えたクラッチにして、上記駆動ディスク（１）が、上記従動ディスク（２）と部分的にオーバーラップし、従動ディスク（２）の外被面（９）の横断面が多角形である、クラッチにおいて、
オーバーラップしている部分（５）の内側で駆動ディスク（１）が、周囲に分散した複数のポケット部（６）を有し、当該ポケット部（６）がその両方の端部に向かってくさび形に先細りしていること、
前記弾性力伝達のための手段である少なくとも一つの圧縮ばね（８）によって互いに離間するように保持されている互いに向き合ったくさび形の押しピストン（７）の対が前記ポケット部（６）の各々に配置されていること、
前記押しピストン（７）が、従動ディスク（２）の外被面（９）に対向する側（１０）を、緩やかに湾曲させられて形成されていること、及び
駆動ディスク（１）にあるいは押しピストン（７）に、無負荷運転の際に戻しモーメントだけを駆動ディスク（１）から従動ディスク（２）へ作用させる減摩手段（１６、１７；１９、２０）が設けられていることを特徴とするクラッチ。
【請求項２】
それぞれのポケット部（６）の外側面（１１）が部分シリンダーを形成し、当該部分シリンダーの曲率軸線がクラッチの回転軸線（Ｄ）と一致していることを特徴とする、請求項１に記載のクラッチ。
【請求項３】
戻しモーメントを発生させる減摩手段が、従動ディスク（２）に作用を及ぼすように駆動ディスク（１）にあるいは押しピストン（７）に設けた圧縮ばね（１６、１９）と伝達球（１７、２０）であることを特徴とする、請求項１あるいは請求項２に記載のクラッチ。
【請求項４】
駆動ディスク（１）が、少なくとも一つのポケット部（６）にて、その外側面（１１）で、ポケット部（６）の中央と半径方向面（ｍ）が交差する領域それぞれに、ふくらみ状の隆起部（１２）を有し、上記押しピストン（７）のための乗り上げ制限部を形成することを特徴とする、請求項１から３のいずれか一項に記載のクラッチ。
【請求項５】
それぞれのポケット部（６）の外側面（１１）が交差する二つの部分シリンダー（１３、１４）によって形成されており、当該部分シリンダーの軸線（ｄ）が、ポケット部（６）を通る放射方向の中心平面の両側でクラッチの回転軸線（Ｄ）とポケット部（６）との間に位置することを特徴とする、請求項４に記載のクラッチ。
【請求項６】
従動ディスク（２）がねずみ鋳鉄製であり、且つ駆動ディスク（１）が薄板部材として形成されていることを特徴とする、請求項１から５のいずれか一項に記載のクラッチ。
【発明の詳細な説明】
【０００１】
【発明の属する技術分野】
本発明は、回転する駆動ディスクと、これに同軸で且つ同方向に回転する従動ディスクとを有し、弾性力伝達のための手段を備えたクラッチに関する。
【０００２】
【従来の技術】
クラッチでは、エンジンのねじり振動が従動系へ伝達されることが、特に振動数が当該システムの固有振動数に近いときに、不都合である。このことは、特に無負荷運転時に不快である。
【０００３】
このことを回避するために、弾性体あるいは液圧部材の形での弾性的な減衰手段がクラッチ部材の間に配置されているさまざまな構造が知られている。これらの構造には以下のような不都合がある。すなわち、これらの構造は、常に駆動装置の作業スペクトル（Arbeitsspektrum）の一部だけに効果があり、その他の負荷領域、特に無負荷運転領域では効果がないという不都合である。すなわち、負荷領域に対しては、伝達された回転モーメント及び回転数に対応する大きさの弾性力及び減衰が必要であるのに対し、無負荷運転の場合には、無負荷運転時切り離し（Leerlaufentkopplung）（「アイドル時切り離し」）を達成するために、わずかな弾性力で十分であり且つ減衰をほとんど必要としない。さらに、公知の実施形態は、非常に構成が複雑になるので、コスト高になる。
【０００４】
【発明が解決しようとする課題】
本発明の課題は、無負荷運転領域をも含めて駆動装置の全ての負荷領域で振動を伝達しないことを可能にし、そのうえに簡単且つ低コストであるクラッチを構成することである。このことは、特に車両駆動装置に対して重要である。
【０００５】
【課題を解決するための手段】
前記課題は、本発明により、駆動ディスクが、従動ディスクと部分的にオーバーラップし、且つオーバーラップしている部分の内側に、周囲に分散した複数のポケット部を有し、当該ポケット部がその両方の端部に向かってくさび形に先細りしていること、弾性力伝達のための手段である少なくとも一つの圧縮ばねによって互いに離間するように保持されている互いに向き合ったくさび形の押しピストンの対が前記ポケット部の各々に配置されていること、前記押しピストンが、従動ディスクの外被面に対向する側を、緩やかに湾曲させられて形成されていること、及び駆動ディスクにあるいは押しピストンに、無負荷運転の際に戻しモーメントだけを駆動ディスクから従動ディスクへ作用させる減摩手段が設けられていることによって解決される。
【０００６】
その際、押しピストン(Schubkolben)は、弾性力伝達手段の一要素として及びねじり振動の減衰のための手段として用いられる。駆動ディスクの回転方向に応じて、一方あるいは他方の押しピストンが、それらを結合している圧縮ばねの作用に抗して、ポケット部の中心に向かって移動させられ、その際、一方では従動ディスクを連行し、且つ他方では摩擦力をポケット部の外側面に及ぼす。当該摩擦力は、従動系への駆動ディスクのねじり振動を減衰させる。この減衰は、負荷に依存し、且つ回転数に依存する。
【０００７】
無負荷運転時には、ねじり振動の減衰のための摩擦力が必要ない。駆動ディスクから従動ディスクへの戻しモーメントを発生させ、且つねじり振動を緩和するためには、わずかな弾性力で十分である。この目的のために、駆動ディスクにあるいは押しピストンに、ふさわしい手段が設けられている。当該手段は、例えば接線方向を向いたあるいは放射方向を向いた弾性体の形で設けられており、付設された、駆動ディスクの面に作用する。
【０００８】
従属項には、本発明の別の有利な構成が記載されている。
本発明に係る振動を減衰させる機械的なクラッチによって、動力車の場合に、現在通例の弾性的なクラッチ摩擦ディスクの使用範囲のかなりの部分をカバーすることが可能である。
【０００９】
【発明の実施の形態】
次に、本発明を、図面をもとにして詳細に説明する。
図面に、無負荷運転状態でねじり振動を減衰させる特性を有する機械的なクラッチを示す。当該クラッチは、駆動ディスク１とこれに同軸の従動ディスク２とから成る。従動ディスク２の後ろ側の部分３（図２）には、クラッチの別のクラッチ要素等を備える不図示の従動系が係合する。
【００１０】
図２に示すように、従動ディスク２は、心合わせハブ４に嵌まっている。当該心合わせハブ４は、軸方向のＺ字形の断面をもち、且つ駆動ディスク１と結合している。
【００１１】
図１に示すように、駆動ディスク１は、リング形の部分５を有する。当該部分５は、従動ディスク２の前側の部分とオーバーラップしており、且つ内側に周に分散した複数のポケット部６を有する。当該ポケット部６は、両方の端部へ向かってくさび形に先細りしている。
【００１２】
それぞれのポケット部内には、少なくとも一つの圧縮ばね８によって互いに離れる方向に押される一対の押しピストン７が配置されている。無負荷運転状態では、当該押しピストン７は、ポケット部６の端部に当接する。
【００１３】
従動ディスク２の外被面９は、多角形の横断面をもつように形成されており、且つ中程度の曲率半径Ｒをもつ。それに応じて、押しピストン７の、従動ディスク２に対向する側１０は、平坦にあるいは軽度に湾曲させられて形成されている。
【００１４】
それぞれのポケット部の外側面１１は部分シリンダーを形成する。当該部分シリンダーの曲率軸線は、クラッチの回転軸線Ｄと一致する、あるいは、当該ポケット部を通る放射方向の中心平面ｍ上で当該ポケット部とクラッチの回転軸線Ｄとの間に位置する。
【００１５】
一方では押しピストン７が互いにぶつかるのを回避するために、他方では負荷が非常に大きい場合に特に大きい摩擦力を発生させ且つそれによって大きな減衰を発生させるために、図４に示すように、ポケット部６の少なくともいくつかに、半径方向の中心平面ｍの領域に外側面１１のふくらみ状の隆起部１２が設けられていることが好都合である。当該隆起部１２は、押しピストン７のための乗り上げ制限部を形成する。
【００１６】
そのような隆起部は、以下のようにして形成してもよい（図５）。すなわち、ポケット部６の外側面１１が、交差する２つの部分シリンダー１３、１４から成り、それらの軸線ｄが、当該ポケット部６を通る放射方向の中心平面ｍの両側に、且つクラッチの回転軸線Ｄと当該ポケット部６との間の領域に位置する。当該隆起部１２は、１０分の数ミリメートルになりさえすればよい。部分シリンダー１３、１４の曲率半径ｒ１３、ｒ１４は、異なっていてもよいが、しかし異なっている必要はない。図５は、縮尺に従っていない。
【００１７】
それに加えて図１に示すように、押しピストン７に放射方向の孔１５が設けられており、当該孔１５に小さい圧縮ばね１６が配置されている。当該圧縮ばねは、伝達球１７によって従動ディスク２の外被面９を押す。それによって、無負荷運転の間ずっと、戻しモーメントが駆動ディスクから従動ディスクへ及ぼされる。しかし、摩擦力はほとんど及ぼされない。
【００１８】
圧縮ばね１６は、ポケット部６の間の、駆動ディスク１の細条部（図面に描かれた形状で言い表せば「垂直片部」とも表現できる）に配置しても同様によい。圧縮ばねを押しピストン７にあるいは駆動ディスク１に接線方向に（図６、図７）配置してもよく、それらの圧縮ばねを従動ディスク２の放射方向の面に作用させてもよい。その際、例えば軸線方向にポケット部６に対してずらして作用させてもよい。
【００１９】
図６及び図７は、そのような実施形態の図である。この場合には、押しピストン７の端部に接線方向の開口部１８が設けられている。当該開口部１８には、弱い圧縮ばね１９が配置されている。これらの圧縮ばね１９は、無負荷運転状態で、すなわち、押しピストン７がポケット部６内の端部位置を占めているときに、軸方向のピン２０に対して作用する。当該ピン２０は、従動ディスク２の後ろ側の部分３に固定されており、且つ放射方向のストッパー面を形成する。無負荷運転時ねじり振動の結果として、従動ディスク２に対して駆動ディスク１がわずかに相対運動する場合には、押しピストン７を移動させることなしに、圧縮ばね１９だけが作用する。
【００２０】
駆動ディスク１が、回転させられ、且つ回転モーメントを従動系へ伝達するときには、駆動ディスク１は従動ディスク２に対して相対的に移動し、そのとき、ポケット部６内の両方の押しピストン７の一方をそのつど他方の押しピストン７に向かって移動させる（図３）。その際、駆動ディスク１には、ねじり振動を減衰させる摩擦力が及ぼされる。
【００２１】
回転モーメントが従動ディスク２に及ぼされない無負荷運転状態では、ばね１６または１９によって及ぼされる戻しモーメントが、ねじり振動を伝達しないようにするために十分である。この場合には、摩擦力は必要ない。
【００２２】
コストの理由から、駆動ディスク１が鋼薄板部材から成り、従動ディスク２がねずみ鋳鉄製であることが有利である。押しピストンは、熱に強い合成物質からなることが合目的である。
【００２３】
本発明に係るクラッチによって、高価な、機械的なあるいは液圧によるねじり振動減衰器を使用しなくてもよくなる。
【図面の簡単な説明】
【図１】本発明に係るクラッチの横断面図である。
【図２】当該クラッチの軸方向の横断面図である。
【図３】図１に示す横断面の、負荷状態での拡大詳細図である。
【図４】駆動ディスクのポケット部の実施形態の図である。
【図５】駆動ディスクのポケット部の別の実施形態の図である。
【図６】接線方向の無負荷運転支持部を備える実施形態を、図７の線VIa-VIa及び線VIb-VIbでの横断面で示した図である。
【図７】図６の線VII-VIIでの軸方向の縦断面図である。
【符号の説明】
１    駆動ディスク
２    従動ディスク
５    リング形の部分
６    ポケット部
７    押しピストン
８    圧縮ばね
９    従動ディスクの外被面
１０  押しピストンの、従動ディスクに対向する側
１１  ポケット部の外側面
１２  隆起部
１３  部分シリンダー
１４  部分シリンダー
１６  圧縮ばね
１９  圧縮ばね
ｄ    部分シリンダーの軸線
Ｄ    回転軸線
【図１】
0003818329.tif 000002
【図２】
0003818329.tif 000003
【図３】
0003818329.tif 000004
【図４】
0003818329.tif 000005
【図５】
0003818329.tif 000006
【図６】
0003818329.tif 000007
【図７】
0003818329.tif 000008